(57)【要約】【課題】画像の合成方法に応じたトンボを印刷する。【解決手段】画像形成装置１の画像形成部４１は用紙に画像を形成し、トンボ印字処理Ａによって用紙毎にトンボを形成するか又は合成画像に含まれる画像毎にトンボを形成するかを決定し、トンボを付与した合成画像に基づく画像形成を画像形成部４１に実行させる。【選択図】図３
2010247419.tif 000002
【特許請求の範囲】
【請求項１】
用紙に画像を形成する画像形成部と、
複数の画像を同一の用紙の同一面に面付けさせるための合成画像を前記画像形成部に形成させる際に、予め定められた条件に基づいて前記用紙毎に断裁マークを形成するか又は前記合成画像に含まれる画像毎に断裁マークを形成するかを決定し、当該決定した断裁マークを含む合成画像を前記画像形成部に形成させる制御部と、
を備える画像形成装置。
【請求項２】
前記制御部は、前記面付けにおける画像の配置に基づいて前記用紙毎に断裁マークを形成するか又は前記合成画像に含まれる画像毎に断裁マークを形成するかを決定し、当該決定した断裁マークを含む合成画像を前記画像形成部に形成させる請求項１に記載の画像形成装置。
【請求項３】
前記制御部は、同一の用紙の同一面に互いに異なる複数の画像を形成する集約モード又は同一の用紙の同一面に互いに同一の複数の画像を形成するリピートモードに基づいて前記面付けにおける画像を配置する場合、前記合成画像に含まれる画像毎に断裁マークを前記画像形成部に形成させる請求項２に記載の画像形成装置。
【請求項４】
前記制御部は、同一の用紙の同一面に複数の画像を小冊子における順番で形成する小冊子モードに基づいて前記面付けにおける画像を配置する場合、前記用紙毎に断裁マークを前記画像形成部に形成させる請求項２に記載の画像形成装置。
【請求項５】
前記用紙毎に断裁マークを形成するか又は前記合成画像に含まれる画像毎に断裁マークを形成するかをユーザが選択するための操作部を更に備え、
前記制御部は、前記操作部によって選択された条件に基づいて決定した断裁マークを含む合成画像を前記画像形成部に形成させる請求項１に記載の画像形成装置。
【請求項６】
前記制御部は、前記操作部によって選択された各種設定値に基づいて断裁マークを含む合成画像を前記画像形成部に形成させる請求項５に記載の画像形成装置。
【請求項７】
前記制御部は、前記面付けにおける画像の配置に基づいてセンタートンボを付与するか否かを決定し、付与すると決定した場合、前記センタートンボを含む合成画像を前記画像形成部に形成させる請求項１〜６の何れか一項に記載の画像形成装置。
【発明の詳細な説明】
【技術分野】
【０００１】
本発明は、画像形成装置に関する。
【背景技術】
【０００２】
近年、画像形成装置において、断裁位置を示す断裁マーク（トンボマーク、以下単にトンボという。）を画像とともに用紙に印刷することがある。トンボは、画像の周辺（例えば、四隅等）に印刷される。断裁機においては、トンボの位置を目印として用紙の断裁が行われる。
【０００３】
通常、印刷される用紙の全てのページにトンボが印刷される。異なるページ間において、互いのトンボの位置がずれていた場合には、断裁後の用紙にトンボが残ってしまう可能性がある。
【０００４】
特許文献１には、開始ページ又は最終ページの用紙に対してのみトンボを付与した画像形成を行い、断裁後にトンボが用紙に残ることを防止する画像形成装置に関する技術が記載されている。
【先行技術文献】
【特許文献】
【０００５】
【特許文献１】特開２００６−３１５２３１号公報
【発明の概要】
【発明が解決しようとする課題】
【０００６】
しかしながら、面付け（例えば、２ｉｎ１印刷や小冊子印刷等）における画像の配置等、画像形成の条件に応じて断裁のしかたが異なることが多く、特許文献１に記載の技術では、トンボを印刷すべきページを指定することはできるが、画像がどのように形成されても、用紙に印刷されるトンボの位置は同一である。つまり、画像形成の条件に応じた最適なトンボの印刷を行うことができず、断裁の作業効率の向上を図ることはできない。
【０００７】
本発明は上記課題に鑑みてされたものであり、その目的とするところは、画像形成の条件に応じたトンボを印刷することである。
【課題を解決するための手段】
【０００８】
上記課題を解決するために、請求項１に記載の発明は、
用紙に画像を形成する画像形成部と、
複数の画像を同一の用紙の同一面に面付けさせるための合成画像を前記画像形成部に形成させる際に、予め定められた条件に基づいて前記用紙毎に断裁マークを形成するか又は前記合成画像に含まれる画像毎に断裁マークを形成するかを決定し、当該決定した断裁マークを含む合成画像を前記画像形成部に形成させる制御部と、
を備える。
【０００９】
請求項２に記載の発明は、請求項１に記載の発明において、
前記制御部は、前記面付けにおける画像の配置に基づいて前記用紙毎に断裁マークを形成するか又は前記合成画像に含まれる画像毎に断裁マークを形成するかを決定し、当該決定した断裁マークを含む合成画像を前記画像形成部に形成させる。
【００１０】
請求項３に記載の発明は、請求項２に記載の発明において、
前記制御部は、同一の用紙の同一面に互いに異なる複数の画像を形成する集約モード又は同一の用紙の同一面に互いに同一の複数の画像を形成するリピートモードに基づいて前記面付けにおける画像を配置する場合、前記合成画像に含まれる画像毎に断裁マークを前記画像形成部に形成させる。
【００１１】
請求項４に記載の発明は、請求項２に記載の発明において、
前記制御部は、同一の用紙の同一面に複数の画像を小冊子における順番で形成する小冊子モードに基づいて前記面付けにおける画像を配置する場合、前記用紙毎に断裁マークを前記画像形成部に形成させる。
【００１２】
請求項５に記載の発明は、請求項１に記載の発明において、
前記用紙毎に断裁マークを形成するか又は前記合成画像に含まれる画像毎に断裁マークを形成するかをユーザが選択するための操作部を更に備え、
前記制御部は、前記操作部によって選択された条件に基づいて決定した断裁マークを含む合成画像を前記画像形成部に形成させる。
【００１３】
請求項６に記載の発明は、請求項５に記載の発明において、
前記制御部は、前記操作部によって選択された各種設定値に基づいて断裁マークを含む合成画像を前記画像形成部に形成させる。
【００１４】
請求項７に記載の発明は、請求項１〜６の何れか一項に記載の発明において、
前記制御部は、前記面付けにおける画像の配置に基づいてセンタートンボを付与するか否かを決定し、付与すると決定した場合、前記センタートンボを含む合成画像を前記画像形成部に形成させる。
【発明の効果】
【００１５】
本発明によれば、画像形成の条件に応じたトンボを印刷することができる。
【図面の簡単な説明】
【００１６】
【図１】本実施の形態における画像形成装置の概略断面図である。
【図２】図１に示す画像形成装置の制御ブロック図である。
【図３】画像形成装置において実行されるトンボ印字処理Ａを示すフローチャートである。
【図４】トンボが付与されて画像形成が実行された場合に出力される用紙の一例である。
【図５】トンボが付与されて画像形成が実行された場合に出力される用紙の一例である。
【図６】トンボが付与されて画像形成が実行された場合に出力される用紙の一例である。
【図７】画像形成装置において実行されるトンボ印字処理Ｂを示すフローチャートである。
【図８】図１に示すＬＣＤに表示される設定選択画面の一例を示す図である。
【図９】画像形成装置において実行されるトンボ印字処理Ｃを示すフローチャートである。
【図１０】画像形成装置において実行されるトンボ印字処理Ｄを示すフローチャートである。
【図１１】センタートンボが付与されて画像形成が実行された場合に出力される用紙の一例である。
【図１２】センタートンボが付与されて画像形成が実行された場合に出力される用紙の一例である。
【発明を実施するための形態】
【００１７】
以下、図面を参照して、本発明の実施形態を詳細に説明する。
【００１８】
［第１の実施の形態］
図１に、本発明に係る画像形成装置１の概略断面図を示す。図１に示すように、画像形成装置１は、原稿から画像を読み取り、読み取った画像データにトンボのデータを付与（合成）させて用紙Ｐに画像形成する。また、画像形成装置１は、外部装置等から画像データを含むページデータや各画像データの画像編集条件（小冊子モード、集約モード、リピートモード等）や後処理条件（ステイプルの綴じ位置、綴じ方向等）等の設定情報を含む印刷ジョブを取得し、その取得した印刷ジョブに基づいて画像とトンボを用紙Ｐ上に形成する。
【００１９】
画像形成装置１は、ユーザが原稿から読み取った画像に対して画像編集条件等を付与した印刷ジョブを設定し、その設定した印刷ジョブに基づいて画像やトンボを用紙上に形成する本体部１ａと、画像が形成された用紙に後処理を施すＦＮＳ部５０等を備えたデジタル複合機である。
本体部１ａは、スキャナ部２０、操作部３０、プリンタ部４０等を備えて構成される。
【００２０】
スキャナ部２０は、ＡＤＦ（Auto Document Feeder）によって送られた原稿の画像を読み取る機能を実現する。スキャナ部２０の原稿トレイに載置された原稿は、読取位置であるコンタクトガラス上に搬送され、光学系により原稿の片面又は両面の画像が走査され、ＣＣＤ（Charge Coupled Device）２１により原稿の画像が読み取られて画像データが取得される。
【００２１】
操作部３０は、ＬＣＤ（Liquid Crystal Display）３１、ＬＣＤ３１を覆うように設けられたタッチパネルや操作キー等から構成され、ユーザからの指示を受け付けその操作信号を画像制御部１１０に出力し、また、画像制御部１１０から入力される表示信号に従って、各種操作指示や設定情報を入力するための各種設定画面や各種処理結果等を表示する。
【００２２】
プリンタ部４０は、入力された画像データに基づいて、電子写真方式の画像形成処理を行うものであり、画像形成する用紙を格納する給紙部、給紙部に用紙を搬送するための用紙搬送部、画像形成された用紙を搬出するための搬出部、用紙に画像を形成するための画像形成部４１、を備えて構成される。
【００２３】
画像形成部４１は、感光体ドラム、帯電装置、画像データに基づくレーザ光を出力するレーザ出力部とレーザ光を主走査方向に走査させるポリゴンミラーとを有する露光装置、現像装置、転写装置、クリーニング部、定着装置等を備え、印刷ジョブに基づいて用紙に画像を形成する機能を実現する。
【００２４】
ＦＮＳ部５０は、画像が形成された用紙のソート処理やパンチ処理を行ったり、予め設定された綴じ方向及び綴じ位置に応じて用紙の束を綴じるステイプル処理を行う。また、ＦＮＳ部５０は、小冊子モードで印刷された用紙の折り処理を行ったり、トンボに基づいて断裁処理を行う断裁ユニット等の各種後処理ユニット（図示せず）と、用紙が排紙されて積載される一又は複数の排紙トレイを備える。
【００２５】
図２に、画像形成装置１の制御ブロック図を示す。図２に示すように、画像形成装置１は、本体部１ａとプリンタコントローラ１ｂと、本体部１ａに接続されたＦＮＳ部５０から構成されている。
画像形成装置１は、プリンタコントローラ１ｂのＬＡＮＩＦ（Local Area Network InterFace）１４を介して、ネットワーク３上の外部装置２と相互にデータの送受信が可能に接続されている。
【００２６】
本体部１ａは、スキャナ部２０、操作部３０、プリンタ部４０、画像制御基板１００を備えて構成される。なお、図１で説明した各部と同一の構成には、同一の符号を付してその説明を省略する。
【００２７】
画像制御基板１００は、画像制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００２８】
画像制御部１１０は、不揮発メモリ１２０に格納されている各種プログラムや各種データを読み出してＲＡＭ１３０に展開し、ＲＡＭ１３０に展開されたプログラムとの協働で、画像形成装置１の各部を集中制御する。
【００２９】
不揮発メモリ１２０は、例えば、プログラムメモリであるＲＯＭを備え、画像形成に係る各種処理プログラム及びデータの他、印刷ジョブ格納プログラム、条件設定プログラム、印刷ジョブ実行プログラム等を記憶する。
また、不揮発メモリ１２０は、例えば、ＨＤＤ（Hard Disk Drive）を備え、予約される印刷ジョブや、その印刷ジョブに含まれる画像データに合成すべきトンボの画像データ、後述するトンボ印字処理Ａの実行の際に必要な各設定値、ジョブ実行のための各種条件等に関するデータを記憶する。
【００３０】
ＲＡＭ１３０は、画像制御部１１０により実行される各種プログラム及びこれらプログラムに係る各種データ、印刷ジョブ等を一時的に記憶するワークエリアとして機能する。
【００３１】
読取処理部１４０は、スキャナ部２０のスキャナ制御部２２から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００３２】
圧縮ＩＣ１５０は、入力されたデジタル画像データに圧縮処理を施してＤＲＡＭ制御ＩＣ１６０に出力する。
【００３３】
ＤＲＡＭ制御ＩＣ１６０は、画像制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。例えば、スキャナ部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。
【００３４】
圧縮メモリ１７１に格納された圧縮画像データの印刷出力が指示されると、圧縮メモリ１７１から圧縮画像データを読み出し、伸長ＩＣ１８０により伸長処理を施してページメモリ１７２に格納させる。さらに、ページメモリ１７２に格納された画像データの印刷出力が指示されると、トンボ印字機能（詳細後述）がオンにされていれば、不揮発メモリ１２０からトンボのデータを読み出して画像データにトンボを付与させ（画像合成させ）、ページメモリ１７２からこの合成画像データを読み出して書込処理部１９０に出力する。トンボ印字機能がオフにされていた場合には、画像合成させず、ページメモリ１７２から画像データを読み出して書込処理部１９０に出力する。なお、トンボのデータは、不揮発メモリ１２０に記憶させず、ページメモリ１７２に記憶されていてもよい。
【００３５】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データを一時的に格納するためのメモリである。
【００３６】
伸長ＩＣ１８０は、圧縮画像データに伸長処理を施す。
【００３７】
書込処理部１９０は、ＤＲＡＭ制御ＩＣ１６０から入力された画像データに基づいて、画像形成のためのデータを生成し、プリンタ部４０に出力する。
【００３８】
スキャナ部２０は、ＣＣＤ２１、スキャナ制御部２２等から構成される。スキャナ制御部２２は、原稿面の露光走査を実行させ、光の反射光をＣＣＤ２１により光電変換を行わせて画像を読み取る。読み取られたアナログ画像信号は読取処理部１４０に出力される。
【００３９】
操作部３０は、ＬＣＤ３１、操作制御部３２、その他テンキー等の操作キー群から構成される。
操作制御部３２は、画像制御部１１０から入力される表示信号に従って、各種設定条件を入力するための各種画面や各種処理結果等をＬＣＤ３１に表示させる。また、操作制御部３２は、各種スイッチやボタン、テンキー、操作キー群、タッチパネル３２から入力される操作信号を画像制御部１１０に出力する。
【００４０】
プリンタ部４０は、図１に示した画像形成部４１等のプリント出力に係る各部やプリンタ制御部４２を備えて構成される。
プリンタ制御部４２は、画像制御部１１０からの指示に従って画像形成部４１等のプリンタ部４０の各部の動作を制御し、書込処理部１９０から入力されたプリントデータに基づいて用紙Ｐに画像形成を行わせると共に、画像制御部１１０からの指示に従ってＦＮＳ部５０の各部を動作させる指示信号をＦＮＳ制御部５１に出力する。
【００４１】
ＦＮＳ部５０は、各種後処理ユニット、各種後処理ユニットへ用紙を搬送する搬送ローラ等の搬送手段、各種後処理ユニットから搬送された用紙が排紙される排紙トレイ等が設けられており、各種後処理ユニットはＦＮＳ制御部５１により統括的に制御されている。
【００４２】
ＦＮＳ制御部５１は、画像制御部１１０からプリンタ制御部４２を介して入力される後処理の指示信号に応じて、用紙を搬送経路に沿って所定の後処理ユニットに搬送し、各部を駆動制御して用紙に所定の後処理を行わせ、排紙トレイに排紙させる制御を行う。
【００４３】
次に、プリンタコントローラ１ｂの各部について説明する。
プリンタコントローラ１ｂは、画像形成装置１をネットワークプリンタとして使用する場合に、ネットワーク３に接続される外部装置２から画像形成装置１に入力される印刷ジョブの管理及び制御を行うものであり、外部装置２からプリント対象のデータを受信し、このデータを印刷ジョブとして本体部１ａへ送信する。
【００４４】
プリンタコントローラ１ｂは、コントローラ制御部１１、ＤＲＡＭ制御ＩＣ１２、画像メモリ１３、ＬＡＮ−ＩＦ１４から構成される。
【００４５】
コントローラ制御部１１は、プリンタコントローラ１ｂ各部の動作を統括的に制御し、ＬＡＮ−ＩＦ１４を介して、外部装置２から入力されるデータを印刷ジョブとして本体部１ａへ送信する。
【００４６】
ＤＲＡＭ制御ＩＣ１２は、ＬＡＮ−ＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００４７】
画像メモリ１３は、ＤＲＡＭから構成され、入力された出力データを一時的に格納する。
【００４８】
ＬＡＮ−ＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００４９】
次に、画像形成装置１の動作について説明する。
図３に、本実施の形態における画像形成装置１によって実行されるトンボ印字処理Ａについて説明する。トンボ印字処理Ａは、画像制御部１１０と不揮発メモリ１２０に記憶されたプログラムとの協働により実行される。
【００５０】
まず、図３に示すように、コーナートンボ印字機能が選択されているか否かが判断される（ステップＳ１０１）。コーナートンボ印字機能は、画像形成部４１が用紙にコーナートンボを印刷（画像形成）するための機能のことであり、トンボを印刷するか否かを示す設定値が予め不揮発メモリ１２０に記憶されている。コーナートンボとは、用紙に形成される画像の四隅に配置されるトンボであり、断裁の際の目印となるトンボである。
【００５１】
コーナートンボ印字機能が選択されていると判断された場合（ステップＳ１０１；ＹＥＳ）、画像データに画像編集があるか否かが判断される（ステップＳ１０２）。具体的には、画像制御部１１０に対して入力される印刷ジョブに基づいて、ページメモリ１７２に記憶された画像データがそのまま用紙に画像形成される場合には画像編集が無いと判断され、２ｉｎ１印刷やリピート印刷、小冊子印刷等のように、用紙の同一面に複数の画像が面付けされたり、拡大・縮小等されて用紙に印刷される場合には、画像編集があると判断される。
【００５２】
画像編集があると判断されない場合（ステップＳ１０２；ＮＯ）、画像ページの四隅にトンボを付与するよう設定される（ステップＳ１０３）。トンボが付与されて画像合成されたデータに基づいて、画像制御部１１０はＤＲＡＭ制御ＩＣ１６０に画像形成を実行させる。
【００５３】
図４に、ステップＳ１０３において、画像ページの四隅にトンボが付与されて画像形成が実行された場合に出力される用紙Ｐの一例を示す。図４に示すように、ステップＳ１０３においては画像編集がないので、用紙に形成される画像Ｇ１は１ページ分であり、この画像Ｇ１の四隅にトンボが配置されて画像形成される。
【００５４】
画像編集があると判断された場合（ステップＳ１０２；ＹＥＳ）、面付けの設定があるか否かが判断される（ステップＳ１０４）。面付けの設定は、操作部３０から入力されたり、外部装置２から送信される。
【００５５】
面付けの設定があると判断されない場合（ステップＳ１０４；ＮＯ）、処理はステップＳ１０３に移行する。
面付けの設定があると判断された場合（ステップＳ１０４；ＹＥＳ）、用紙のページ毎にトンボが印刷される設定であるか否かが判断される（ステップＳ１０５）。この設定は、不揮発メモリ１２０に対応する設定値が記憶されている。
【００５６】
ページ毎にトンボが印刷される設定であると判断されない場合（ステップＳ１０５；ＮＯ）、面付けがなされて画像編集された合成後画像の四隅にトンボが付与される（ステップＳ１０６）。
【００５７】
図５に、ステップＳ１０６において、合成後画像の四隅にトンボＴが付与されて画像形成が実行された場合に出力される用紙Ｐの一例を示す。図５に示すように、用紙Ｐに形成された画像Ｇ１及び画像Ｇ２のそれぞれの四隅に対してトンボＴが印刷される。例えば、面付けが２ｉｎ１印刷の場合、一枚の用紙Ｐに形成された２つの画像は、それぞれ独立したページ（つまり、互いにページ番号が異なる）であり、このページ毎にトンボが印刷される。
【００５８】
ページ毎にトンボ印字がされる設定であると判断された場合（ステップＳ１０５；ＹＥＳ）、各画像ページ毎に四隅にトンボが付与される（ステップＳ１０７）。
【００５９】
図６に、ステップＳ１０７において、画像ページの四隅にトンボが付与されて画像形成が実行された場合の用紙Ｐの一例を示す。図６に示すように、１枚の用紙Ｐに形成された画像Ｇ１及びＧ２を一つの単位として四隅にトンボＴが印刷される。
【００６０】
一方、コーナートンボ印字機能が選択されていると判断されない場合（ステップＳ１０１；ＮＯ）、処理は終了する。
【００６１】
以上のように、本実施の形態における画像形成装置によれば、用紙毎又は合成画像毎にトンボを付与させて用紙に画像形成を実行させるので、予め定められた条件（面付けにおける画像の配置等、画像形成の条件）に基づいてトンボを印刷することができる。
【００６２】
なお、上述した本実施の形態における記述は、本発明に係る好適な画像形成装置の一例であり、これに限定されるものではない。例えば、ページ毎にトンボを印刷するか否かは、予め定められた判断基準によって判断されればよく、例えば、ジョブ実行の際にユーザが操作部からトンボ印刷を実行する／しないを入力するようにしてもよいし、ジョブデータに含まれる画像形成の条件に基づいて判断されるようにしてもよい。この場合には、画像形成の条件に基づいて、より自由度の高いトンボ印刷を行うことができる。
【００６３】
また、本実施の形態におけるＲＯＭ以外のその他のコンピュータ読み取り可能な媒体として、ＳＤ（Secure Digital）カードやＵＳＢ（Universal Serial Bus）メモリのようなフラッシュメモリ等の不揮発性メモリ、ＣＤ−ＲＯＭ等の可搬型記録媒体を適用することが可能である。また、本発明に係るプログラムのデータや音声データ等の各種データを、搬送波（キャリアウェーブ）に重畳させて通信回線を介して提供することも可能である。
【００６４】
その他、画像形成装置の細部動作に関しても、本発明の趣旨を逸脱することのない範囲で適宜変更可能である。
【００６５】
［第２の実施の形態］
次に、本発明に係る画像形成装置の第２の実施の形態を説明する。第２の実施の形態では、画像制御部１１０においてトンボ印字処理Ａが実行されず、トンボ印字処理Ｂが実行される点のみが第１の実施の形態と異なるため、以下、第１の実施の形態と異なる箇所についてのみ説明する。
【００６６】
図７に、第２の実施の形態において画像形成装置１によって実行されるトンボ印字処理Ｂについて説明する。トンボ印字処理Ｂは、画像制御部１１０と不揮発メモリ１２０に記憶されたプログラムとの協働により実行される。
【００６７】
図７に示すように、ステップＳ２０１〜ステップＳ２０３は、それぞれステップＳ１０１〜ステップＳ１０３と同様であるので説明を省略する。
【００６８】
画像編集があると判断されると（ステップＳ２０２；ＹＥＳ）、小冊子モードがオンになっているか否かが判断される（ステップＳ２０４）。小冊子とは、一枚の用紙に複数画像（例えば２枚）を画像形成し、この用紙の中央等で折り目をつけて冊子にするための印刷の方法であり、小冊子モードがオンになっているか否かを示す設定値が不揮発メモリ１２０に記憶されている。
【００６９】
小冊子モードがオンになっていると判断されない場合（ステップＳ２０４；ＮＯ）、集約モード若しくはリピートモードがオンになっているか否かが判断される（ステップＳ２０５）。集約モードとは、一枚の用紙の同一面に互いに異なる複数画像をページ順に画像形成する印刷の方法であり、例えば、２ｉｎ１印刷等である。リピートモードとは、一枚の用紙の同一面に同一の複数画像を画像形成する印刷の方法である。一枚の用紙に並列して２つの同じ画像を画像形成する等（２リピートという）である。
【００７０】
オンになっていると判断されない場合（ステップＳ２０５；ＮＯ）、処理はステップＳ２０３に移行する。オンになっていると判断された場合（ステップＳ２０５；ＹＥＳ）、各ページ毎にトンボが付与される（ステップＳ２０６）。ステップＳ２０６においてトンボが付与されて画像形成される場合には、図５に示すように、１枚の用紙に画像形成された複数の画像のそれぞれにトンボが印字される。
【００７１】
小冊子モードがオンになっていると判断された場合（ステップＳ２０４；ＹＥＳ）、合成後のページにトンボが付与される（ステップＳ２０７）。ステップＳ２０７においてトンボが付与されて画像形成される場合には、図６に示すように、１枚の用紙に画像形成された複数画像の全体を１ページとしてトンボが印字される。
【００７２】
以上のように、第２の実施の形態における画像形成装置によれば、面付けの種類に基づいてトンボの印刷方法を変えることによって、自由度の高いトンボの印刷が可能となり、断裁方法に応じたトンボ印刷ができる。
【００７３】
［第３の実施の形態］
次に、本発明に係る画像形成装置の第３の実施の形態を説明する。第３の実施の形態では、画像制御部１１０においてトンボ印字処理Ａが実行されず、トンボ印字処理Ｃが実行される点が第１の実施の形態と異なるため、以下、第１の実施の形態と異なる箇所についてのみ説明する。
【００７４】
また、第３の実施の形態においては、ＬＣＤ３１に表示された設定選択画面３１０において、コーナートンボ印字機能のオン／オフや、合成画像毎又は単一画像毎の各種設定を選択することができる点で第１の実施の形態と異なる。
【００７５】
図８に、ＬＣＤ３１に表示される設定選択画面３１０の一例を示す。図８に示すように、設定選択画面３１０は、コーナートンボ印字機能をオンにするかオフにするかを選択するための印字機能ボタン３１１、合成画像毎又は単一画像毎の各種設定を選択するための印字対象ボタン３１２、コーナートンボの印字タイプを選択するためのタイプボタン３１３、断裁の余白幅（断裁代）を指定するための断裁代ボタン３１４、選択した各種設定を不揮発メモリ１２０に記憶させるための確定ボタン３１５等から構成される。
【００７６】
図９に、第３の実施の形態において画像形成装置１によって実行されるトンボ印字処理Ｃを示す。トンボ印字処理Ｃは、画像制御部１１０と不揮発メモリ１２０に記憶されたプログラムとの協働により実行される。
【００７７】
図９に示すように、ステップＳ３０１〜ステップＳ３０４は、それぞれステップＳ２０１、Ｓ２０２、Ｓ２０４、Ｓ２０５と同様であるので説明を省略する。
【００７８】
集約モード若しくはリピートモードがオンになっていると判断されると（ステップＳ３０４；ＹＥＳ）、設定選択画面３１０で選択された単一画像毎の設定値に基づいてコーナートンボの設定が選択される（ステップＳ３０５）。具体的には、設定選択画面３１０において選択された単一画像毎のトンボのタイプや断裁代等の各種設定値に基づいてトンボが付与される。
【００７９】
小冊子モードがオンであると判断された場合（ステップＳ３０３；ＹＥＳ）、設定選択画面３１０で選択された合成画像毎の設定値に基づいてコーナートンボの設定が選択される（ステップＳ３０６）。具体的には、設定選択画面３１０において選択された合成画像毎のトンボのタイプや断裁代等の各種設定値に基づいてトンボが付与される。
【００８０】
以上のように、第３の実施の形態における画像形成装置によれば、操作部からの入力によりトンボを付与する際の各種設定値を変更することができ、この設定値に基づいてトンボを印刷することができる。
【００８１】
［第４の実施の形態］
次に、本発明に係る画像形成装置の第４の実施の形態を説明する。第４の実施の形態では、画像制御部１１０においてトンボ印字処理Ａが実行されず、トンボ印字処理Ｄが実行される点のみが第１の実施の形態と異なるため、以下、第１の実施の形態と異なる箇所についてのみ説明する。
【００８２】
図１０に示すように、ステップＳ４０１、Ｓ４０２は、それぞれステップＳ１０１、Ｓ１０２と同様であるので説明を省略する。
画像編集があると判断されない場合（ステップＳ４０２；ＮＯ）、画像ページの四隅にトンボが付与されるとともに、センタートンボが付与される（ステップＳ４０３）。センタートンボとは、用紙の余白部分（つまり、画像が形成されていない部分）に印刷され、画像の中央を示すトンボのことである。
【００８３】
図１１に、ステップＳ４０３において、センタートンボＣが付与されて画像形成が実行された場合に出力される用紙Ｐの一例を示す。図１１に示すように、用紙Ｐに形成された画像Ｇ１の周囲にセンタートンボＣが印刷される。センタートンボＣは、画像Ｇ１の上下左右の中央位置を示すように４箇所に印刷される。なお、センタートンボＣは予め定められた所定の位置に印刷されればよく、図１１に示す位置に限られない。例えば、画像Ｇ１の上下のみに印刷されるようにしてもよい。
【００８４】
ステップＳ４０４、Ｓ４０５は、それぞれステップＳ２０４、Ｓ２０５と同様であるので説明を省略する。
集約モード若しくはリピートモードがオンになっていると判断されると（ステップＳ４０５；ＹＥＳ）、合成後画像の四隅にトンボが付与され、センタートンボは付与されない（ステップＳ４０６）。
【００８５】
一方、小冊子モードがオンであると判断されない場合（ステップＳ４０４；ＹＥＳ）、各画像ページ毎に四隅にトンボが付与されるとともに、センタートンボが付与される（ステップＳ４０７）。
【００８６】
図１２に、ステップＳ４０７において、センタートンボＣが付与されて画像形成が実行された場合に出力される用紙Ｐの一例を示す。図１１に示すように、用紙Ｐに形成された画像Ｇ１及びＧ２を一つの画像ページ単位として、この画像ページの周囲にセンタートンボＣが印刷される。センタートンボＣは、画像ページの上下左右の中央位置を示すように４箇所に印刷される。
【００８７】
以上のように、第４の実施の形態における画像形成装置によれば、面付けの種類に応じてセンタートンボを付与するか否かを決定することができ、折り加工が必要な面付けの場合等、必要な場合にのみセンタートンボを付与することができる。
【符号の説明】
【００８８】
１  画像形成装置
１ａ  本体
１ｂ  プリントコントローラ
２  外部機器
３  ネットワーク
１１  コントローラ制御部
１２  ＤＲＡＭ制御ＩＣ
１３  画像メモリ
１４  ＬＡＮ−ＩＦ
２０  スキャナ部
２１  ＣＣＤ
２２  スキャナ制御部
３０  操作部
３１  ＬＣＤ
３２  操作制御部
４０  プリンタ部
４１  画像形成部
４２  プリンタ制御部
５０  ＦＮＳ部
５１  ＦＮＳ制御部
１００  画像制御基板
１１０  画像制御部
１２０  不揮発メモリ
１３０  ＲＡＭ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
【図１】
2010247419.tif 000003
【図２】
2010247419.tif 000004
【図３】
2010247419.tif 000005
【図４】
2010247419.tif 000006
【図５】
2010247419.tif 000007
【図６】
2010247419.tif 000008
【図７】
2010247419.tif 000009
【図８】
2010247419.tif 000010
【図９】
2010247419.tif 000011
【図１０】
2010247419.tif 000012
【図１１】
2010247419.tif 000013
【図１２】
2010247419.tif 000014